(57)【特許請求の範囲】
【請求項１】
昇降部を有しこの昇降部を吊持したワイヤを巻取りまたは繰り出しするドラムを内蔵するとともに前記ドラムを駆動するモータを内蔵した取付部を有する第１の昇降器および第２の昇降器を備え、前記第１の昇降器の取付部を前記第２の昇降器の昇降部に取付けたことを特徴とする昇降装置。
【請求項２】
前記第２の昇降器は、下方の昇降器の取付部を上方の昇降器の昇降部に取付けてシリーズに連結した複数の昇降器よりなる請求項１記載の昇降装置。
【請求項３】
前記第２の昇降器は昇降部の上昇位置で相接触する接点を前記昇降部および前記取付部の対向面に有し、前記接点を通して前記第１の昇降器の取付部のモータに給電している請求項１記載の昇降装置。
【請求項４】
前記第１の昇降器の前記取付部はそのモータへの給電手段を有する請求項１記載の昇降装置。
【請求項５】
前記給電手段は電池である請求項４記載の昇降装置。
【発明の詳細な説明】
【０００１】
【発明の属する技術分野】
この発明は、高天井等に取付けられた照明器具等の器具をメンテナンスするため、器具を手元まで下ろす場合などに使用する昇降装置に関するものである。
【０００２】
【従来の技術】
従来のこの種の昇降装置は、照明器具等の器具を取付けた昇降部と、この昇降部を吊り下げるワイヤと、このワイヤを巻き取るドラムおよびモータを内蔵した取付部とを有し、ドラムの回転に伴って器具を昇降させるものである。
【０００３】
【発明が解決しようとする課題】
高い昇降距離の場合、従来は内蔵するワイヤを長くすることにより対応していた。
しかし、ワイヤをドラムに上手く巻き取ることができず、また高い距離を昇降できる評価設備がない等の問題があり、品質を確保しながら対応するためには標準昇降高さの約１．３倍程度までであり、それ以上はあまり高い昇降ができなかった。
【０００４】
したがって、この発明の目的は、品質を確保しながらより高い昇降が可能な昇降装置を提供することである。
【０００５】
【課題を解決するための手段】
請求項１記載の昇降装置は、昇降部を有しこの昇降部を吊持したワイヤを巻取りまたは繰り出しするドラムを内蔵するとともに前記ドラムを駆動するモータを内蔵した取付部を有する第１の昇降器および第２の昇降器を備え、前記第１の昇降器の取付部を前記第２の昇降部の昇降部に取付けたことを特徴とするものである。
【０００６】
請求項１記載の昇降装置によれば、第１の昇降器と第２の昇降器の組合せにより高い距離の昇降が可能となる。また技術的に確立された昇降器を組み合わせて使用する構成のため、品質を確保することができるとともに、昇降器個々の昇降距離は特別高いものとならないため、特殊な評価設備を必要としない。
請求項２記載の昇降装置は、請求項１において、前記第２の昇降器が、下方の昇降器の取付部を上方の昇降器の昇降部に取付けてシリーズに連結した複数の昇降器よりなるものである。
【０００７】
請求項２記載の昇降装置によれば、請求項１よりもさらに昇降高さを高くすることができる。
請求項３記載の昇降装置は、請求項１において、第２の昇降器が昇降部の上昇位置で相接触する接点を前記昇降部および前記取付部の対向面に有し、前記接点を通して前記第１の昇降器の取付部のモータに給電しているものである。
【０００８】
請求項３記載の昇降装置によれば、請求項１と同様な効果のほか、第１の昇降器は接点を介して第２の昇降器より給電しているので照明器具の下降動作時には下方の昇降器の動作を優先し、上昇動作時には上方の昇降器の動作を優先することとなる。
請求項４記載の昇降装置は、請求項１において、前記第１の昇降器の前記取付部はそのモータへの給電手段を有するものである。
【０００９】
請求項４記載の昇降装置によれば、請求項１と同様な効果のほか、第１の昇降器と第２の昇降器のモータを同時に動作することができるので、昇降速度を速めることができる。
請求項５記載の昇降装置は、請求項４において、前記給電手段は電池であるものである。
【００１０】
請求項５記載の昇降装置によれば、請求項４と同様な効果がある。
【００１１】
【発明の実施の形態】
この発明の第１の実施の形態を図１および図２により説明する。すなわち、この昇降装置は、第１の昇降器１と、第２の昇降器２とを有する。
第１の昇降器１および第２の昇降器２は、昇降部３，１６を有し、この昇降部３，１６を吊持したワイヤ５、１７を巻取りまたは繰り出しするドラム６、６′を内蔵するとともにドラム６、６′を駆動するモータ（図示せず）を内蔵した取付部８、１８を有する。そして、第１の昇降器１の取付部８を第２の昇降器２の昇降部１６に取付けているものである。
【００１２】
実施の形態では、第１の昇降器１を図２に示すように第１の昇降部３は一対の滑車１２、１３を有し、第１の昇降部３の下端部に照明器具９を取付けている。取付部８はドラム６およびモータ（図示せず）を内蔵した本体１０と連結部１１とからなる。ワイヤ５の一端が本体１０の固定部１４に固定し、その中間部を滑車１２、１３および本体１０に設けた滑車１５に掛け回し、他端をドラム６に巻付けている。第２の昇降器２も第１の昇降器１と同構成であるが、異なっている点は、第２の昇降器２は昇降部１６の上昇位置で相接触する接点１９、２０を昇降部１６および取付部１８の対向面に有し、接点１９、２０を通して第１の昇降器１の取付部８のモータに給電するようになっている。また第２の昇降器２の取付部１８は天井２３に取付けている。
【００１３】
動作について、説明する。第２の昇降器２が上昇位置にある状態で接点１９、２０が接触しており、第１の昇降器１のモータに給電可能であるので、そのモータを下降方向に回転させるとドラムが繰り出し回転し、ワイヤ５が繰り出されるので第１の昇降部３が下降し照明器具９が下降する。第１の昇降部３の下降位置はエンド検知スイッチにより検知されてモータが停止し、照明器具９が停止する。つぎに第２の昇降器２のモータに給電し、そのモータを回転してドラムを繰り出し回転するとワイヤ１７が繰り出されて第２の昇降部１６が下降し、これにより第１の昇降器１が下降し、第２の昇降部１６のエンド検知スイッチが動作するまで下降する。このとき接点１９、２０が離れ、第１の昇降器１への給電が停止する。こうして第１の昇降器１および第２の昇降器２がともに下降動作することにより、それぞれの昇降距離の２倍の昇降高さを下降することとなり、昇降高さが通常の２倍程度に高い天井に取付けられた照明器具でもメンテナンスのため床上まで下降することが可能となる。
【００１４】
つぎに照明器具９を上昇する場合、まず第２の昇降器２のモータを駆動しドラムを巻取り回転する。これにより昇降部１６が上昇して第１の昇降器１を昇降させ、最上昇位置で接点１９、２０が接触する。つぎに第１の昇降器１に接点１９、２０を通してモータに給電しドラムを巻取り回転させ、昇降部３を上昇して照明器具９を上昇させる。
【００１５】
第１の実施の形態によれば、第１の昇降器１と第２の昇降器２の組合せにより高い距離の昇降が可能となる。また技術的に確立された昇降器を組み合わせて使用する構成のため、品質を確保することができるとともに、昇降器個々の昇降距離は特別高いものとならないため、特殊な評価設備を必要としない。
また第１の昇降器１は接点１９、２０を介して第２の昇降器２より給電しているので照明器具の下降動作時には下方の第１の昇降器１の動作を優先し、上昇動作時には上方の第２の昇降器２の動作を優先する。
【００１６】
この発明の第２の実施の形態を図３により説明する。すなわち、この昇降装置は、第１の実施の形態における第２の昇降器２が、互いにシリーズに連結した複数の昇降器２ａ〜２ｃよりなるものであり、連結関係は下方の昇降器の取付部１８ａを上方の昇降器の昇降部１６ａに順次取付けている。ただし、最下端の昇降器２ａの昇降部１６ａは第１の昇降器１の取付部８に連結し、最上端の昇降器２ｃの取付部１８ａは天井２３に取付けている。
【００１７】
この実施の形態によれば、昇降器数が２以上となるので、器具のより一層高い昇降が可能となる。その他は第１の実施の形態と同様である。
この発明の第３の実施の形態を図４により説明する。すなわち、この昇降装置は、第１の実施の形態において、第１の昇降器１の取付部８に給電手段２４を内蔵したものである。実施の形態ではモータ用電源としてたとえば電池を用いている。
【００１８】
この実施の形態によれば、第１の昇降器１と第２の昇降器２のモータを同時に動作することができるので、昇降速度を速めることができる。また第１の実施の形態と比較して接点が不要となる。その他は第１の実施の形態と同様である。
この発明の第４の実施の形態を図５により説明する。すなわち、この昇降装置は、第１の昇降器１の取付部８に照明器具９を取付け、第２の昇降器２の取付部１８を天井２３に取付け、第１の昇降器１と第２の昇降器２の昇降部３、１６同士を連結したものである。その他は第３の実施の形態と同様である。
【００１９】
【発明の効果】
請求項１記載の昇降装置によれば、第１の昇降器と第２の昇降器の組合せにより高い距離の昇降が可能となる。また技術的に確立された昇降器を組み合わせて使用する構成のため、品質を確保することができるとともに、昇降器個々の昇降距離は特別高いものとならないため、特殊な評価設備を必要としない。
【００２０】
請求項２記載の昇降装置によれば、請求項１よりもさらに昇降高さを高くすることができる。
請求項３記載の昇降装置によれば、請求項１と同様な効果のほか、第１の昇降器は接点を介して第２の昇降器より給電しているので照明器具の下降動作時には下方の昇降器の動作を優先し、上昇動作時には上方の昇降器の動作を優先することとなる。
【００２１】
請求項４記載の昇降装置によれば、請求項１と同様な効果のほか、第１の昇降器と第２の昇降器のモータを同時に動作することができるので、昇降速度を速めることができる。
請求項５記載の昇降装置によれば、請求項４と同様な効果がある。
【図面の簡単な説明】
【図１】この発明の第１の実施の形態の正面図である。
【図２】第１の昇降器の構成を示す説明図である。
【図３】第２の実施の形態の部分正面図である。
【図４】第３の実施の形態の正面図である。
【図５】第４の実施の形態の正面図である。
【符号の説明】
１    第１の昇降器
２    第２の昇降器
３    昇降部
５    ワイヤ
６    ドラム
６′  ドラム
８    取付部
１６    昇降部
１７    ワイヤ
１８    取付部
２４    給電手段
【図１】
0003755261.tif 000002
【図２】
0003755261.tif 000003
【図３】
0003755261.tif 000004
【図４】
0003755261.tif 000005
【図５】
0003755261.tif 000006